【事件の表示】
　特許第６３４６３６０号発明「ジルコニア焼結体、ジルコニア組成物及びジルコニア仮焼体、並びに歯科用補綴物」の特許異議申立事件について、次のとおり決定する。
【結　論】
　特許第６３４６３６０号の特許請求の範囲を訂正請求書に添付された訂正特許請求の範囲のとおり、訂正後の請求項〔１〜２３〕について訂正することを認める。
　特許第６３４６３６０号の請求項２３に係る特許を取り消す。
　特許第６３４６３６０号の請求項１、２、４ないし１６、１８ないし２２に係る特許を維持する。
　特許第６３４６３６０号の請求項３、１７に係る特許についての特許異議申立てを却下する。
【理　由】
第１　手続の経緯
　本件特許第６３４６３６０号（以下、「本件特許」という。）の請求項１〜２３に係る特許についての出願は、２０１３年（平成２５年）　５月１０日を出願日として特許出願された特願２０１３−１００６１８号の一部を、平成２９年　８月　３日に新たな特許出願としたものであって、平成３０年　６月　１日にその特許権の設定登録がされ、平成３０年　６月２０日に特許掲載公報が発行された。  
　その後、その請求項１〜２３に係る特許について、平成３０年１２月１２日に特許異議申立人中丸剛（以下、「申立人１」という。）により、平成３０年１２月１９日に特許異議申立人土田裕介（以下、「申立人２」という。）及び特許異議申立人末吉直子（以下、「申立人３」という。）により、それぞれ特許異議の申立てがされたものであり、その後の手続の経緯は以下のとおりである。  
　　  
　　平成３１年　３月２２日付け　取消理由通知  
　　令和　１年　５月２７日付け　訂正の請求、意見書の提出  
　　令和　１年　７月１０日付け　申立人１による意見書の提出  
　　令和　１年　７月１２日付け　申立人２、３による意見書の提出 
　　令和　１年　９月２７日付け　取消理由通知（決定の予告）
　なお、令和　１年　９月２７日付けの取消理由通知（決定の予告）に対して、指定した期間内に特許権者から応答はなかった。
　　　　
 
第２　訂正の適否についての判断  
１ 訂正の内容　  
　令和　１年　５月２７日付けの訂正の請求（以下、「本件訂正請求」という。）は、本件特許の特許請求の範囲を、本件訂正請求に係る訂正請求書に添付の訂正特許請求の範囲のとおり訂正するものであって、以下の訂正事項１〜１０からなるものである（下線部は、訂正箇所を示す）。  
  
（１）訂正事項１  
　特許請求の範囲の請求項１に、  
「ジルコニア及びジルコニアの相転移を抑制する安定化剤としてイットリアを含有し、組成が異なる複数のジルコニア粉末を形成し、 
　前記複数のジルコニア粉末を積層させてジルコニア組成物を形成し、 
　前記ジルコニア組成物を８００℃〜１２００℃で焼成して製造された状態のジルコニア仮焼体であって、 
　前記仮焼体を幅５０ｍｍ×高さ１０ｍｍ×奥行き５ｍｍの寸法の直方体形状に成形したものを試験片とし、前記試験片において、幅５０ｍｍ×奥行き５ｍｍとなる面を底面としたとき、前記ジルコニア粉末の積層によって形成される境界面が前記底面と平行になっており、 
　前記試験片を１５００℃で２時間焼成し、 
　２つの前記底面のうち、凹面に変形した底面を下にして載置したとき、 
（凹面に変形した前記底面と接地面との最大間隔）／（前記幅方向における接地部分間の距離）×１００が０．１５以下であることを特徴とするジルコニア仮焼体。」  
と記載されているのを、  
「ジルコニア及びジルコニアの相転移を抑制する安定化剤としてイットリアを含有し、
顔料の添加率を調整することで
　前記複数のジルコニア粉末を積層させ
、上下層の境界において各粉末が部分的に混合した混合層を形成した積層体
　前記
積層体
　前記
ジルコニア
　前記試験片を１５００℃で２時間焼成し、  
　２つの前記底面のうち、凹面に変形した底面を下にして載置したとき、  
（凹面に変形した前記底面と接地面との最大間隔）／（前記幅方向における接地部分間の距離）×１００が０．１５以下であ
り、
　
ＪＩＳＲ１６０１に準拠して測定した曲げ強度が３８ＭＰａ以上かつ４１ＭＰａ以下である
に訂正する（請求項１の記載を直接的又は間接的に引用する請求項２、４〜１６、１８〜２３も同様に訂正する）。　  
  
（２）訂正事項２ 
　特許請求の範囲の請求項３を削除する。 
　 
（３）訂正事項３ 
　特許請求の範囲の請求項４に、 
「請求項１〜３のいずれか一項に記載のジルコニア仮焼体を１４００℃〜１６００℃で焼結した状態であることを特徴とするジルコニア焼結体。」 
と記載されているのを、 
「請求項１
又は２
り、
　
ＪＩＳＲ１６０１に準拠して測定した曲げ強度が１０００ＭＰａ以上かつ１２１９ＭＰａ以下である
に訂正する（請求項４の記載を直接的又は間接的に引用する請求項５〜１６、１８、１９、２１も同様に訂正する）。 
  
（４）訂正事項４ 
　特許請求の範囲の請求項１７を削除する。 
  
（５）訂正事項５ 
　特許請求の範囲の請求項１８に、 
「ＪＩＳＲ１６０７に準拠して測定した破壊靭性が３．５ＭＰａ・ｍ１／２以上であることを特徴とする請求項５〜１７のいずれか一項に記載のジルコニア焼結体。」 
と記載されているのを、 
「ＪＩＳＲ１６０７に準拠して測定した破壊靭性が３．５ＭＰａ・ｍ１／２以上であることを特徴とする請求項５〜
１６
に訂正する。 
  
（６）訂正事項６ 
　特許請求の範囲の請求項１９に、 
「１８０℃、１ＭＰａで５時間水熱処理試験を施した後のジルコニア焼結体のＸ線回折パターンにおいて、２θが３０°付近の正方晶由来の［１１１］ピークが生ずる位置付近に存在するピークの高さに対する、２θが２８°付近の単斜晶由来の［１１−１］ピークが生ずる位置付近に存在するピークの高さの比が１以下であることを特徴とする請求項５〜１８のいずれか一項に記載のジルコニア焼結体。」 
と記載されているのを、 
「１８０℃、１ＭＰａで５時間水熱処理試験を施した後のジルコニア焼結体のＸ線回折パターンにおいて、２θが３０°付近の正方晶由来の［１１１］ピークが生ずる位置付近に存在するピークの高さに対する、２θが２８°付近の単斜晶由来の［１１−１］ピークが生ずる位置付近に存在するピークの高さの比が１以下であることを特徴とする請求項５〜
１６、
に訂正する。 
  
（７）訂正事項７ 
　特許請求の範囲の請求項２０に、 
「８００℃〜１２００℃で焼成することにより請求項１〜３のいずれか一項に記載の仮焼体となることを特徴とするジルコニア組成物。」 
と記載されているのを、 
「８００℃〜１２００℃で焼成することにより請求項１
又は２
ジルコニア
積層体
に訂正する。 
  
（８）訂正事項８ 
　特許請求の範囲の請求項２１に、 
「１４００℃〜１６００℃で焼結することにより請求項５〜１９のいずれか一項に記載のジルコニア焼結体となることを特徴とするジルコニア組成物。」 
と記載されているのを、 
「１４００℃〜１６００℃で焼結することにより請求項５〜
１６、１８、
積層体
に訂正する。 
  
（９）訂正事項９ 
　特許請求の範囲の請求項２２に、 
「請求項１〜３のいずれか一項に記載の仮焼体を切削加工した後に焼結した状態であることを特徴とする歯科用補綴物。」 
と記載されているのを、 
「請求項１
又は２
ジルコニア
に訂正する（請求項２２の記載を直接的に引用する請求項２３も同様に訂正する）。 
  
（１０）訂正事項１０ 
　特許請求の範囲の請求項２３に、 
「請求項１〜３のいずれか一項に記載の仮焼体を、ＣＡＤ／ＣＡＭシステムを用いて切削加工した後に焼結した状態であることを特徴とする請求項２２に記載の歯科用補綴物。」 
と記載されているのを、 
「請求項１
又は２
ジルコニア
に訂正する。 
  
２ 訂正の適否について　  
（１）訂正事項１  
ア　訂正の目的について  
　訂正前の請求項１に係る発明は、「複数のジルコニア粉末」について、「組成が異なる」ことを特定している。  
　これに対して、訂正後の請求項１に係る発明は、「
顔料の添加率を調整することで
　また、訂正前の請求項１に係る発明は、「ジルコニア組成物」であるにもかかわらず、「前記複数のジルコニア粉末を積層させ」たことを特定している。  
　これに対して、訂正後の請求項１に係る発明は、「前記複数のジルコニア粉末を積層させ
、上下層の境界において各粉末が部分的に混合した混合層を形成した積層体
積層体
　さらに、訂正前の請求項１に係る発明は、「前記仮焼体」と特定している。  
　これに対して、訂正後の請求項１に係る発明は、「前記
ジルコニア
　そして、訂正前の請求項１に係る発明は、ジルコニア仮焼体の曲げ強度については特定されていない。 
　これに対して、訂正後の請求項１に係る発明は、「
ＪＩＳＲ１６０１に準拠して測定した曲げ強度が３８ＭＰａ以上かつ４１ＭＰａ以下である
　以上のことから、訂正事項１は、特許法第１２０条の５第２項ただし書第１号及び第３号に規定する特許請求の範囲の減縮及び明瞭でない記載の釈明を目的とするものである。 
  
イ　新規事項の有無について  
　訂正事項１は、本件明細書の段落【００５９】、【００６２】、【０１０６】、【０１０８】、【０１１６】、【０１３４】及び【０１９２】の記載に基づくものであるから、願書に添付した明細書、特許請求の範囲又は図面に記載した事項の範囲内の訂正であって、特許法第１２０条の５第９項で準用する同法第１２６条第５項に適合するものである。  
  
ウ　特許請求の範囲の拡張・変更の存否について  
　訂正事項１は、実質上特許請求の範囲を拡張し、又は変更するものではないことは明らかであるから、特許法第１２０条の５第９項で準用する同法第１２６条第６項に適合するものである。  
  
（２）訂正事項２、４ 
ア　訂正の目的について  
　訂正事項２、４は、それぞれ訂正前の請求項３、１７を削除するものである。 
　したがって、訂正事項２、４は、特許法第１２０条の５第２項ただし書第１号に規定する特許請求の範囲の減縮を目的とするものである。  
  
イ　新規事項の有無について 
　上記アに記載のとおり、訂正事項２、４は、それぞれ訂正前の請求項３、１７を削除するものである。  
　したがって、訂正事項２、４は、願書に添付した明細書、特許請求の範囲又は図面に記載した事項の範囲内の訂正であって、特許法第１２０条の５第９項で準用する同法第１２６条第５項に適合するものである。 
  
ウ　特許請求の範囲の拡張・変更の存否について 
　訂正事項２、４は、実質上特許請求の範囲を拡張し、又は変更するものではないことは明らかであるから、特許法第１２０条の５第９項で準用する同法第１２６条第６項に適合するものである。 
  
（３）訂正事項３ 
ア　訂正の目的について  
　訂正前の請求項４に係る発明は、ジルコニア焼結体の曲げ強度については特定されていない。 
　これに対して、訂正後の請求項４に係る発明は、「
ＪＩＳＲ１６０１に準拠して測定した曲げ強度が１０００ＭＰａ以上かつ１２１９ＭＰａ以下である
　また、訂正事項３は、請求項４において、選択的に引用する請求項の一部を削除するものである。 
　したがって、訂正事項３は、特許法第１２０条の５第２項ただし書第１号に規定する特許請求の範囲の減縮を目的とするものである。  
  
イ　新規事項の有無について 
　訂正事項３の曲げ強度の特定は、本件明細書の段落【００７８】、【０１３４】の記載に基づくものである。  
　また、訂正事項３の選択的に引用する請求項の一部を削除する訂正は、何ら新規事項を追加するものではない。 
　したがって、訂正事項３は、願書に添付した明細書、特許請求の範囲又は図面に記載した事項の範囲内の訂正であって、特許法第１２０条の５第９項で準用する同法第１２６条第５項に適合するものである。 
  
ウ　特許請求の範囲の拡張・変更の存否について 
　訂正事項３は、実質上特許請求の範囲を拡張し、又は変更するものではないことは明らかであるから、特許法第１２０条の５第９項で準用する同法第１２６条第６項に適合するものである。　 
  
（４）訂正事項５、６ 
ア　訂正の目的について  
　訂正事項５、６は、それぞれの請求項において、選択的に引用する請求項の一部を削除するものである。 
　したがって、訂正事項５、６は、特許法第１２０条の５第２項ただし書第１号に規定する特許請求の範囲の減縮を目的とするものである。  
  
イ　新規事項の有無について 
　訂正事項５、６の選択的に引用する請求項の一部を削除する訂正は、何ら新規事項を追加するものではない。 
　したがって、訂正事項５、６は、願書に添付した明細書、特許請求の範囲又は図面に記載した事項の範囲内の訂正であって、特許法第１２０条の５第９項で準用する同法第１２６条第５項に適合するものである。　　　　 
  
ウ　特許請求の範囲の拡張・変更の存否について 
　訂正事項５、６は、実質上特許請求の範囲を拡張し、又は変更するものではないことは明らかであるから、特許法第１２０条の５第９項で準用する同法第１２６条第６項に適合するものである。 
  
（５）訂正事項７〜１０ 
ア　訂正の目的について  
　訂正前の請求項２０、２１に係る発明は、組成が異なる複数のジルコニア粉末を積層した積層体を「ジルコニア組成物」と特定している。 
　また、訂正前の請求項２０、２２、２３に係る発明は、ジルコニア仮焼体を単に「仮焼体」と特定している。 
　これに対して、訂正後の請求項２０に係る発明は、「
積層体
ジルコニア
　また、訂正後の請求項２１に係る発明は、「
積層体
　さらに、訂正後の請求項２２、２３に係る発明は、「
ジルコニア
　そして、訂正事項７〜１０は、それぞれの請求項において、選択的に引用する請求項の一部を削除するものである。 
　以上のことから、訂正事項７〜１０は、特許法第１２０条の５第２項ただし書第１号及び第３号に規定する特許請求の範囲の減縮及び明瞭でない記載の釈明を目的とするものである。  
  
イ　新規事項の有無について　　 
　訂正事項７〜１０の「
積層体
ジルコニア
　また、訂正事項７〜１０の選択的に引用する請求項の一部を削除する訂正は、何ら新規事項を追加するものではない。 
　したがって、訂正事項７〜１０は、願書に添付した明細書、特許請求の範囲又は図面に記載した事項の範囲内の訂正であって、特許法第１２０条の５第９項で準用する同法第１２６条第５項に適合するものである。　　 
  
ウ　特許請求の範囲の拡張・変更の存否について 
　訂正事項７〜１０は、実質上特許請求の範囲を拡張し、又は変更するものではないことは明らかであるから、特許法第１２０条の５第９項で準用する同法第１２６条第６項に適合するものである。 
  
３ 一群の請求項について  
　訂正事項１〜１０に係る訂正前の請求項１〜２３は、請求項２〜２３が、直接的又は間接的に請求項１を引用する関係にあるから、一群の請求項であり、訂正事項１〜１０は、この一群の請求項について請求されたものである。  
  
４ 独立特許要件について 
　本件特許の請求項１〜２３の全ての請求項に係る特許について特許異議の申立てがされたので、訂正後の請求項１〜２３に係る発明について、特許法第１２０条の５第９項で準用する同法第１２６条第７項の独立特許要件についての規定は適用されない。 
  
５ 訂正の適否についてのむすび  
　以上のとおりであるから、本件訂正請求による訂正は、特許法第１２０条の５第２項ただし書第１号及び第３号に掲げる事項を目的とするものであり、かつ、同条第４項及び同条第９項において準用する同法第１２６条第５項及び第６項の規定に適合するので、訂正後の請求項〔１〜２３〕について訂正することを認める。  
  
  
第３　本件発明  
　本件訂正請求により訂正された請求項１、２、４〜１６、１８〜２３に係る発明（以下、それぞれ「本件発明１」・・・「本件発明２３」という。）は，次の事項により特定されるものである（下線部は、訂正箇所）。  
  
「【請求項１】  
　ジルコニア及びジルコニアの相転移を抑制する安定化剤としてイットリアを含有し、
顔料の添加率を調整することで
　前記複数のジルコニア粉末を積層させ
、上下層の境界において各粉末が部分的に混合した混合層を形成した積層体
　前記
積層体
　前記
ジルコニア
　前記試験片を１５００℃で２時間焼成し、  
　２つの前記底面のうち、凹面に変形した底面を下にして載置したとき、  
（凹面に変形した前記底面と接地面との最大間隔）／（前記幅方向における接地部分間の距離）×１００が０．１５以下であ
り、
　
ＪＩＳＲ１６０１に準拠して測定した曲げ強度が３８ＭＰａ以上かつ４１ＭＰａ以下である
【請求項２】  
　（凹面に変形した前記底面と接地面との最大間隔）／（前記幅方向における接地部分間の距離）×１００が０．１以下であることを特徴とする請求項１に記載のジルコニア仮焼体。  
  
【請求項４】  
　請求項１
又は２
り、
　
ＪＩＳＲ１６０１に準拠して測定した曲げ強度が１０００ＭＰａ以上かつ１２１９ＭＰａ以下である
【請求項５】  
　一端から他端に向かう第１方向に延在する直線上において、  
　前記一端から全長の２５％までの区間にある第１点のＬ＊ａ＊ｂ＊表色系による色度（Ｌ＊，ａ＊，ｂ＊）を（Ｌ１，ａ１，ｂ１）とし、  
　前記他端から全長の２５％までの区間にある第２点のＬ＊ａ＊ｂ＊表色系による色度（Ｌ＊，ａ＊，ｂ＊）を（Ｌ２，ａ２，ｂ２）としたとき、  
　Ｌ１が５８．０以上７６．０以下であり、  
　ａ１が−１．６以上７．６以下であり、  
　ｂ１が５．５以上２６．７以下であり、  
　Ｌ２が７１．８以上８４．２以下であり、  
　ａ２が−２．１以上１．８以下であり、  
　ｂ２が１．９以上１６．０以下であり、  
　Ｌ１＜Ｌ２であり、  
　ａ１＞ａ２であり、  
　ｂ１＞ｂ２であり、  
　前記第１点から前記第２点に向かってＬ＊ａ＊ｂ＊表色系による色度の増減傾向が変化しないことを特徴とする請求項４に記載のジルコニア焼結体。
【請求項６】  
　前記第１点と前記第２点とを結ぶ直線上において、  
　前記第１点から前記第２点に向かってＬ＊値が１以上減少する区間が存在せず、  
　前記第１点から前記第２点に向かってａ＊値が１以上増加する区間が存在せず、  
　前記第１点から前記第２点に向かってｂ＊値が１以上増加する区間が存在しないことを特徴とする請求項５に記載のジルコニア焼結体。  
【請求項７】  
　前記第１点から前記第２点を結ぶ直線上において、前記第１点と前記第２点の間にある第３点のＬ＊ａ＊ｂ＊表色系による色度（Ｌ＊，ａ＊，ｂ＊）を（Ｌ３，ａ３，ｂ３）としたとき、  
　Ｌ３が６２．５以上８０．５以下であり、  
　ａ３が−１．８以上５．５以下であり、  
　ｂ３が４．８以上２１．８以下であり、  
　Ｌ１＜Ｌ３＜Ｌ２であり、  
　ａ１＞ａ３＞ａ２であり、  
　ｂ１＞ｂ３＞ｂ２である、  
ことを特徴とする請求項５又は６に記載のジルコニア焼結体。  
【請求項８】  
　前記第１点から前記第２点を結ぶ直線上において、前記第３点と前記第２点の間にある第４点のＬ＊ａ＊ｂ＊表色系による色度（Ｌ＊，ａ＊，ｂ＊）を（Ｌ４，ａ４，ｂ４）としたとき、  
　Ｌ４が６９．１以上８２．３以下であり、  
　ａ４が−２．１以上１．８以下であり、  
　ｂ４が３．５以上１６．２以下であり、  
　Ｌ１＜Ｌ３＜Ｌ４＜Ｌ２であり、  
　ａ１＞ａ３＞ａ４＞ａ２であり、  
　ｂ１＞ｂ３＞ｂ４＞ｂ２である、  
ことを特徴とする請求項７に記載のジルコニア焼結体。  
【請求項９】 
　前記第３点は前記一端から全長の４５％の距離にあり、  
　前記第４点は前記一端から全長の５５％の距離にある、  
ことを特徴とする請求項８に記載のジルコニア焼結体。  
【請求項１０】  
　前記第１点、前記第３点、前記第４点及び前記第２点において、  
　隣接する２点におけるＬ＊値の差をΔＬ＊とし、  
　隣接する２点におけるａ＊値の差をΔａ＊とし、  
　隣接する２点におけるｂ＊値の差をΔｂ＊とし、  
　以下の式１よりΔＥ＊ａｂを算出した場合、  
　前記第１点と前記第３点間のΔＥ＊ａｂは３．７以上１４．３以下であり、  
　前記第３点と前記第４点間のΔＥ＊ａｂは１．８以上１０．５以下であり、  
　前記第４点と前記第２点間のΔＥ＊ａｂは１．０以上９．０以下である、
ことを特徴とする請求項８又は９に記載のジルコニア焼結体。  
［式1］  
【請求項１１】  
　前記第１点から前記第２点を結ぶ直線上において、前記第１点と前記第２点の間にある第３点のＬ＊ａ＊ｂ＊表色系による色度（Ｌ＊，ａ＊，ｂ＊）を（Ｌ３，ａ３，ｂ３）としたとき、  
　Ｌ３が６９．１以上８２．３以下であり、  
　ａ３が−２．１以上１．８以下であり、  
　ｂ３が３．５以上１６．２以下であり、  
　Ｌ１＜Ｌ３＜Ｌ２であり、  
　ａ１＞ａ３＞ａ２であり、  
　ｂ１＞ｂ３＞ｂ２である、  
ことを特徴とする請求項５又は６に記載のジルコニア焼結体。  
【請求項１２】  
　一端から他端に向かう第１方向に向かって色が変化しており、  
　前記一端から前記他端に向かう直線上においてＬ＊ａ＊ｂ＊表色系による色度の増減傾向が変化しないことを特徴とする請求項５に記載のジルコニア焼結体。 
【請求項１３】  
　前記一端と前記他端とを結ぶ直線上において、前記第１点から前記第２点に向かってＬ＊値は増加傾向にあり、ａ＊値及びｂ＊値は減少傾向にあることを特徴とする請求項１２に記載のジルコニア焼結体。  
【請求項１４】  
　前記一端から前記他端までの距離は５ｍｍ〜１８ｍｍであることを特徴とする請求項５〜１３のいずれか一項に記載のジルコニア焼結体。  
【請求項１５】  
　前記第１方向と直交する第２方向に沿って色が変化しないことを特徴とする請求項５〜１４のいずれか一項に記載のジルコニア焼結体。  
【請求項１６】  
　前記第２方向に延在する直線上の２点において、  
　前記２点間のＬ＊値の差をΔＬ＊とし、  
　前記２点間のａ＊値の差をΔａ＊とし、  
　前記２点間のｂ＊値の差をΔｂ＊とし、  
　以下の式２よりΔＥ＊ａｂを算出した場合、  
　ΔＥ＊ａｂが１未満であることを特徴とする請求項１５に記載のジルコニア焼結体。  
［式2］  
【請求項１８】  
　ＪＩＳＲ１６０７に準拠して測定した破壊靭性が３．５ＭＰａ・ｍ１／２以上であることを特徴とする請求項５〜
１６
【請求項１９】  
　１８０℃、１ＭＰａで５時間水熱処理試験を施した後のジルコニア焼結体のＸ線回折パターンにおいて、２θが３０°付近の正方晶由来の［１１１］ピークが生ずる位置付近に存在するピークの高さに対する、２θが２８°付近の単斜晶由来の［１１−１］ピークが生ずる位置付近に存在するピークの高さの比が１以下であることを特徴とする請求項５〜
１６、
【請求項２０】  
　８００℃〜１２００℃で焼成することにより請求項１
又は２
ジルコニア
積層体
【請求項２１】  
　１４００℃〜１６００℃で焼結することにより請求項５〜
１６、１８、
積層体
【請求項２２】  
　請求項１
又は２
ジルコニア
【請求項２３】  
　請求項１
又は２
ジルコニア
第４ 取消理由について
１　令和１年　９月２７日付けの取消理由通知（決定の予告）について
　本件発明２３に対して、令和１年　９月２７日付けで特許権者に通知した取消理由の要旨は、次のとおりである。
（明確性）本件特許は、特許請求の範囲の記載が下記の点で不備のため、特許法第３６条第６項第２号に規定する要件を満たしていない特許出願に対してされたものである。 
　　　　　　　　　　　　　　記
　本件発明２３　　　
　本件発明２３の「仮焼体を、ＣＡＤ／ＣＡＭシステムを用いて切削加工した後に焼結した状態である」の記載では、「ＣＡＤ／ＣＡＭシステム」を用いたことにより歯科用補綴物の何が特定されるのか不明であるから、本件発明２３は明確でない。 
　なお、特許権者は、令和　１年　５月２７日付けの意見書において「ＣＡＤ／ＣＡＭシステムを用いて切削加工された歯科用補綴物は、表面にドリルによる溝が形成されるため、当業者であればＣＡＤ／ＣＡＭシステムを用いずに人の手で切削加工された歯科用補綴物と区別できる」と主張しているが、ドリルによる切削加工は、汎用のフライス盤を用いて、ＣＡＤ／ＣＡＭシステムによる制御をしなくても実施可能なものであるから、上記主張は採用できない。
２　平成３１年　３月２２日付けの取消理由通知について
　訂正前の請求項１〜２３に対して、平成３１年　３月２２日付けで特権者に通知した取消理由の要旨は、次のとおりである。
取消理由１（サポート要件）
　本件特許は、特許請求の範囲の記載が下記の点で不備のため、特許法第３６条第６項第１号に規定する要件を満たしていない特許出願に対してされたものである。
　　　　　　　　　　　　　　　　記
　請求項１〜２３に係る発明が解決しようとする課題は、本件明細書【０００９】〜【００２０】によると、積層構造を有する成形体から寸法精度の高いジルコニア焼結体を得ることであると認められ、実施例の工程により得られた仮焼体は上記課題を解決できると認識できるが、請求項１は、顔料の添加率が異なるジルコニア粉末を調整することや、積層時に振動を与えて上下層の境界に混合層を形成することは特定されていないから、請求項１及びこれを引用する請求項２〜２３に係る発明は、上記課題を解決できる手段を認識することはできない。
取消理由２（明確性）
　本件特許は、特許請求の範囲の請求項１〜２３の記載が下記の点で不備のため、特許法第３６条第６項第２号に規定する要件を満たしていない特許出願に対してされたものである。
　　　　　　　　　　　　　　　記 
（１）請求項１〜２３
ア　ジルコニア仮焼体は、組成の異なる層を積層した「積層体」であるから、「組成物」の記載は明確でない。
イ　「８００〜１２００℃で焼成して製造された状態のジルコニア仮焼体」との記載は単に焼成温度のみを特定するものであって、「ジルコニア仮焼体」がどのような状態であることを特定するものか明確でない。
（２）請求項４〜１９、２１
　「・・・・・ ジルコニア仮焼体を１４００℃〜１６００℃で焼結した状態である ・・・・・ ジルコニア焼結体」との記載は単に焼成温度のみを特定するものであって、「ジルコニア焼結体」がどのような状態であることを特定するものか明確でない。
（３）請求項２０
　請求項１〜３を引用するものであるから、請求項１〜３と同様に明確でない。
（４）請求項２１
　請求項５〜１９を引用するものであるから、請求項５〜１９と同様に明確でない。
（５）請求項２３
　「ＣＡＤ／ＣＡＭシステム」を用いたことにより、「歯科用補綴物」の何が特定されているのか明確でない。
３　取消理由についての判断
（１）令和１年　９月２７日付けの取消理由通知（決定の予告）について
　上記第４の１に記載のとおり、本件請求項２３に係る特許について取消理由を通知し、期間を指定して意見書を提出する機会を与えたが、特許権者からは応答がなかった。
　そして，上記取消理由は妥当なものと認められるので、本件請求項２３に係る特許は，この取消理由によって取り消されるべきものである。
（２）平成３１年　３月２２日付けの取消理由通知について
　上記１において取り消されるべきものであると判断した請求項２３及び本件訂正請求により削除された請求項３、１７を除く請求項１、２、４〜１６、１８〜２２に係る発明（まとめて、「本件発明」ということがある。）の特許についての判断を、以下に示す。
ア　取消理由１（特許法第３６条第６項第１号）について
　本件発明１に係るジルコニア仮焼体は、「顔料の添加率を調整することで組成が異なる複数のジルコニア粉末」が用いられていること、及び「前記複数のジルコニア粉末を積層させ、上下層の境界において各粉末が部分的に混合した混合層を形成した積層体」が形成されて製造された仮焼体であることが特定されている。
　そして、発明の詳細な説明には、顔料の添加率を調整することによりジルコニア粉末を作製する工程（本件明細書 段落【０１０１】〜【０１０６】）、及び積層体の各層の境界に混合層を形成する工程（本件明細書 【００６０】〜【００６２】、【０１０８】〜【０１１１】）が具体的に説明されており、当業者であれば、これらの工程を採用し、上下層の境界に上下層の各粉末が適度に混合した混合層を有する積層体を形成し、これを焼成して製造したジルコニア仮焼体は焼成時にジルコニア焼結体の変形量が小さくなることが理解でき、本件発明１に係るジルコニア仮焼体によって、寸法精度の高いジルコニア焼結体が得られることを認識できる。
　そうすると、本件発明１及びこれを引用する本件発明２、４〜１６、１８〜２２は、本件発明の積層構造を有する成形体から寸法精度の高いジルコニア焼結体を得るという課題を解決できるといえる。
　よって、取消理由１は、理由がない。 
イ　取消理由２（特許法第３６条第６項第２号）について　　 
（ア） 「（１）ア」について
　本件訂正請求による訂正によって、請求項１、２０、２１の「組成物」の記載は削除され、組成が異なる複数のジルコニア粉末を積層させることにより「積層体」を形成することが特定されたから、本件発明は明確である。
（イ） 「（１）イ 〜（４）」について
　請求項１において、本件発明１に係るジルコニア仮焼体は「ジルコニア及びジルコニアの相転移を抑制する安定化剤としてイットリアを含有し、顔料の添加率を調整することで組成が異なる複数のジルコニア粉末を形成し、前記複数のジルコニア粉末を積層させ、上下層の境界において各粉末が部分的に混合した混合層を形成した積層体」が焼成された状態のものであって、「ＪＩＳＲ１６０１に準拠して測定した曲げ強度が３８ＭＰａ以上かつ４１ＭＰａ以下である」ことが特定され、また、請求項４において、本件発明４に係るジルコニア焼結体は、本件発明１に係る仮焼体が焼結した状態のものであって、「ＪＩＳＲ１６０１に準拠して測定した曲げ強度が１０００ＭＰａ以上かつ１２１９ＭＰａ以下である」ことが特定された。
　そうすると、請求項１及び請求項４には、物の製造方法（製造条件）が記載されているが、各請求項の記載及び明細書の記載から、ジルコニア仮焼体に係る本件発明１及びジルコニア焼結体に係る本件発明４が、上記積層体の構造を備え、特定の曲げ強度を有する物の発明であることが理解できるから、本件発明１及び本件発明４、並びにこれに従属する本件発明２、５〜１６、１８〜２２は、明確であるといえる。
　
　よって、取消理由２は、理由がない。
第５ 取消理由に採用しなかった特許異議申立理由について
１ 採用しなかった特許異議申立理由
　取消理由に採用しなかった申立人１〜３による特許異議申立書（以下、それぞれ「申立書１」〜「申立書３」という。）に記載された特許異議申立の理由（以下、「申立理由」という。）は、次の（１）〜（３） のとおりである。
（１）申立人１による申立理由及び証拠方法
ア 申立理由１−１（特許法第３６条第４項第１号）
（ア） 実施可能要件
　訂正前の請求項１に係る発明は、形状、構造、組成が予測できないものであり、ジルコニア仮焼体の焼成試験による変形量の特定事項は、標準的なものでなく、また、慣用されているものでもないから、本願の発明の詳細な説明に記載された「組成の異なる粉末の積層時に組成物に振動を与える」ことで、「組成の異なる粉末同士を部分的に混合する」こと以外の手段により、訂正前の請求項１に係る仮焼体を作ることはできないから、発明の詳細な説明は、当業者が実施をすることができる程度に明確かつ十分に記載したものではない（申立書１ ２９〜３２ページ）。
（イ） 委任省令要件
　発明の詳細な説明には、人工歯等のジルコニア焼結体を適用する製品における具体的な寸法精度の評価について何ら記載はない等、「組成の異なるジルコニア粉末を積層してジルコニア仮焼体を製造した場合であっても、寸法精度の高いジルコニア焼結体を得る」という課題が解決されたかについて何ら記載されていないから、発明の詳細な説明には、本件発明の技術上の意義を理解するために必要な事項が記載されているとはいえない（申立書１ ３２〜３４ページ）。
イ 申立理由１−４（特許法第２９条第２項）
　訂正前の請求項１〜２３に係る発明は、甲１−１に記載された発明及び甲１−２〜甲１−９に記載された事項に基いて、当業者が容易に発明をすることができたものである（申立書１ ４３〜６８ページ）
（証拠方法）
甲１−１：特開２００４−３５３３２号公報
甲１−２：特開平６−３９８２０号公報
甲１−３：特開２００４−２８４８４０号公報
甲１−４：特開２００３−２６０５９６号公報
甲１−５：特開２００３−７３７０８号公報
甲１−６：特開２０１０−２２０７７９号公報
甲１−７：特開２００９−２６９８１２号公報
甲１−８：特開２０１１−７３９０７号公報
甲１−９：「セラミック工学ハンドブック」、２００６〜２００９ページ、　　　　　１９８９年４月１０日
（２）申立人２による申立理由及び証拠方法
ア 申立理由２−１（特許法第２９条第２項）
　訂正前の請求項１〜２３に係る発明は、甲２−１〜甲２−４に記載された発明に基いて、当業者が容易に発明をすることができたものである（申立書２ ４〜６ページ）
（証拠方法）
甲２−１：中国実用新案第２０２６８２０７４号明細書（及び 抄訳）
甲２−２：欧州特許第０８７０４７９号明細書（及び 抄訳）
甲２−３：欧州特許第２０２４３００号明細書（及び 抄訳）
甲２−４：特開２００８−５０２４６号公報 
イ 申立理由２−３（特許法第３９条第２項）
　訂正前の請求項１〜２３に係る発明は、甲２−５の請求項１〜２３に記載された発明と実質的に同一である（申立書２ ６、７ページ）。
（証拠方法）
甲２−５：特許第６１８９６２７号公報
（３）申立人３による申立理由及び証拠方法
ア 申立理由３−１（特許法第３６条第６項第１号）
　発明の詳細な説明には、酸化アルミニウム及び酸化チタンを使用した実施例が記載されているのみであるから、訂正前の請求項１〜２３に係る発明は、発明の詳細な説明に記載されたものではない（申立書３ １４〜１７ページ）。
イ 申立理由３−２（特許法第２９条第１項第３号）及び申立理由３−３（特許法第２９条第２項）
　訂正前の請求項１〜４、２０、２２及び２３に係る発明は、甲３−１に記載された発明であり、また、訂正前の請求項１〜２３に係る発明は、甲３−１に記載された発明及び甲３−２〜甲３−４に記載された事項に基いて、当業者が容易に発明をすることができたものである（申立書３ １７〜４０ページ）。
（証拠方法）
甲３−１：中国特許出願公開第１０２２８５７９５号明細書（及び 抄訳）
甲３−２：特開平１−１９７４２１号公報
甲３−３：独国特許出願公開第１０２００６０２４４８９号明細書（及び 　　　　　抄訳）　
甲３−４：特開２０１２−４１２３９号公報　　　
２ 採用しなかった申立理由についての判断
（１）申立人１の申立理由について
ア 申立理由１−１（特許法第３６条第４項第１号）
（ア） 実施可能要件
　上記「第４ ３（２）ア」で記載したように、本件発明１に係るジルコニア仮焼体は、「顔料の添加率を調整することで組成が異なる複数のジルコニア粉末」が用いられていること、及び「前記複数のジルコニア粉末を積層させ、上下層の境界において各粉末が部分的に混合した混合層を形成した積層体」が形成されて製造されたものであることが特定されている。
　そして、発明の詳細な説明には、積層体の上下層の境界において混合層を形成するためにジルコニア粉末を積層する際に振動を与えるという具体的手段を採用すること（本件明細書 段落【０１０１】〜【０１１１】）及びその実施例（本件明細書 特に 段落【０１１７】〜【０１４０】）により、本件発明で特定する所定の曲げ強度の仮焼体が得られたことが具体的に記載されているから、本件発明１を当業者が実施をすることができないとはいえない。
（イ） 委任省令要件
　本件明細書の発明の詳細な説明には、仮焼体を焼結すると変形しやすくなるところ、本件発明１において、仮焼体の焼成試験による変形量の上限を特定した理由について説明されており（ 段落【００６１】、【００６２】）、「寸法精度の高いジルコニア焼結体を得ることができる」との課題及びその解決手段を理解することができるから、発明の詳細な説明には、当業者が本件発明の技術上の意義を理解するために必要な事項が記載されていないとはいえない。
イ 申立理由１−４（特許法第２９条第２項）
　甲１−１の請求項１、５、段落【０００５】、【００１０】、【００１４】〜【００１７】によると、甲１−１には、次の発明が記載されていると認められる。
「無着色材料を含有し、着色材料の配合を調整することで複数の色のセラミック粉を形成し、　前記複数の色のセラミックス粉を積層させて成形体を成形し、前記成形体を、１１００度〜１１５０度で焼成して製造したセラミックスブロック。」
　本件発明１と上記甲１−１に記載された発明とを対比すると、本件発明１は、ジルコニア及びジルコニアの相転移を抑制する安定化剤としてイットリアを含有し、顔料の添加率を調整することで組成が異なるジルコニア粉末を形成する点、積層体の上下層の境界において各粉末が部分的に混合した混合層が形成される点、並びに仮焼体の焼成試験による変形量及びＪＩＳＲ１６０１に準拠して測定した仮焼体の曲げ強度が特定されている点で、甲１−１に記載された上記セラミックスブロックに係る発明と相違している。
　上記相違点について検討すると、甲１−１には、セラミックブロックの材料の一つとしてジルコニアが記載されているものの（甲１−１：段落【０００５】）、具体的には、ネフェリンサイヤナイト、大平長石の天然鉱物を主成分とし、着色材料としてＺｒ−Ｖが使用することが記載されているのみであり（段落【００１０】）、また、積層体の境界については、層の境界をはっきりさせずにぼやかした色合いの加工物を望む場合は、各層の材料でそれぞれしっかりとした成形を行わず、すべての材料を入れてから全体を圧縮することが、また、２種以上の材料を割合を変化させながら常時撹拌し、充填し、最後に成形することで、境界の無い連続な色調のブロックを作成することが記載されているにすぎず（甲１−１：段落【０００７】）、上記相違点に係る本件発明１の特定事項を導出することはできない。
　また、甲１−２、甲１−４及び甲１−５には、振動により粉体の層の境界部に混合層を形成した成形体が開示されているが、甲１−２は、焼成した多層セラミックスを、甲１−４は、粉末冶金による成形体を、それぞれ強固に結合するためのものであり、また、甲１−５は、均一性の向上した焼結体等を得るためものである。
　そうすると、甲１−２、甲１−４及び甲１−５の混合層を、強固な結合や均一性の向上ではなく、セラミックブロックの色調を調整することを目的とする甲１−１に記載された発明に適用する動機付けはない。　
　さらに、甲１−３には、セラミックスラリーの境界を混合して、成形される多孔質セラミックスの境界層を消滅させた均一な多孔質セラミックが、甲１−６には、酸化ジルコニウムを主成分とし酸化イットリウムを含む単層のセラミック仮焼体及びこれを焼成した焼結体が、甲１−７、１−８には、安定化剤としてイットリアを含むジルコニア粉末を焼結して製造された単層のジルコニア焼結体が、甲１−９には、Ｙ２Ｏ３を安定化剤とした安定化ジルコニアが、それぞれ記載されているにすぎず、同様に上記相違点に係る本件発明１の特定事項を導出することはできない。
　次に、本件発明４について検討すると、本件発明４は、本件発明１に係る仮焼体を焼結したものであるから、積層体の境界に混合層を有する焼結体であると認められ、さらに、ＪＩＳＲ１６０１に準拠して測定した曲げ強度が特定されたものであるから、このような構造の焼結体は、上記の本件発明１の仮焼体の検討と同じく、甲１−１に記載された発明及び甲１−１〜甲１−９に記載された事項から導出することはできない。
　したがって、本件発明１、４は、甲１−１〜甲１−９に記載された発明に基いて当業者が容易に発明をすることができたものであるとはいえない。 
　また、本件発明２、５〜１６、１８〜２２は、本件発明１又は本件発明４を引用するものであるから、同様に、甲１−１〜甲１−９に記載された発明に基いて当業者が容易に発明をすることができたものであるとはいえない。
（２）申立人２の申立理由について
ア 申立理由２−１（特許法第２９条第２項）
　甲２−１の抄訳を参照すると、甲２−１には、次の発明が記載されていると認められる。
「ジルコニア粉を積層した多層のジルコニアセラミックス」
　本件発明１と甲２−１に記載された発明とを対比すると、本件発明１は、ジルコニア及びジルコニアの相転移を抑制する安定化剤としてイットリアを含有し、顔料の添加率を調整することで組成が異なるジルコニア粉末を形成する点、積層体の上下層の境界において各粉末が部分的に混合した混合層が形成される点、並びに仮焼体の焼成試験による変形量及びＪＩＳＲ１６０１に準拠して測定した仮焼体の曲げ強度が特定されている点で、甲２−１に記載された上記ジルコニアセラミックスに係る発明と相違している。
　また、本件発明４と甲２−１に記載された発明とを対比すると、本件発明４は、上記本件発明１に係る仮焼体が焼結されたものであって、ＪＩＳＲ１６０１に準拠して測定した曲げ強度が特定されている点で、甲２−１に記載された上記ジルコニアセラミックスに係る発明と相違している。
　上記各相違点について検討すると、甲２−２には、界面にセラミック材料の混合が生じた積層体を焼結した引張強度が１００ＭＰａを超えるセラミックス成形体が記載されているが、甲２−２は、ＳｉＯ２及びＡｌ２Ｏ３を主成分とするジルコニアを含まない焼結体において、積層時に混合が生じた結果、所定の引張強度が得られたことが開示されているにすぎない。
　また、甲２−３には、顔料の添加率が異なるＺｒＯ２を含む粉末を順次積層した成形体を焼結して得られた焼結体が、甲２−４には、曲げ強度が１２００ＭＰａ以上で着色剤を含む単層のイットリア安定化ジルコニア焼結体がそれぞれ記載されているにすぎない。
　そうすると、甲２−２〜甲２−４の記載事項は、上記相違点に係る、本件発明１の積層構造のジルコニア仮焼体が上記焼成試験による変形量及び所定の曲げ強度を有する点、及び本件発明４の積層構造のジルコニア焼結体が所定の曲げ強度を有する点を何ら示唆するものではない。
　したがって、本件発明１、４は、甲２−１〜甲２−４に記載された発明に基いて当業者が容易に発明をすることができたものであるとはいえない。 
　また、本件発明２、５〜１６、１８〜２２は、本件発明１又は本件発明４を引用するものであるから、同様に、甲１〜甲４に記載された発明に基いて当業者が容易に発明をすることができたものであるとはいえない。
イ 申立理由２−３（特許法第３９条第２項）
　本件発明１は、ジルコニア粉末に安定化剤としてイットリアを含有すること及びジルコニア仮焼体の曲げ強度が特定されているのに対して、本件特許の原出願の特許である甲２−５の請求項１に係る発明は、ジルコニア粉末に安定化剤を含有することが特定されているだけであるし、ジルコニア仮焼体の曲げ強度の特定もないから、両者が互いに同一であるとはいえない。　
　また、本件発明１に従属する本件発明２、４〜１６、１８〜２２も同様であって、甲２−５に記載された各請求項に係る発明と同一であるとはいえない。
（３）申立人３の申立理由について
ア 申立理由３−１（特許法第３６条第６項第１号）
　本件明細書の発明の詳細な説明には、酸化アルミニウム（Ａｌ２Ｏ３）は、ジルコニア焼結体の強度を高めるために、ジルコニア結晶粒子及び安定化剤の合計質量に対して、０質量％（無含有）〜０．３質量％の含有率とすることが記載され（段落【００５０】、【００７０】）、また、酸化チタン（ＴｉＯ２）は、ジルコニア結晶粒子及び安定化剤の合計質量に対して、０質量％（無含有）〜０．３質量％であることが記載されているから（段落【００５１】、【００７１】）、酸化アルミニウム及び酸化チタンは、当業者が必要に応じて原料粉末に含有させる成分であることが理解できる。
　そうすると、実施例において、酸化アルミニウム及び酸化チタンが含有した例が記載されていることのみを根拠として、これらが本件発明において必須成分であるとまではいえない。
イ 申立理由３−２（特許法第２９条第１項第３号）及び申立理由３−３（特許法第２９条第２項）
　甲３−１（段落［００２３］、［００２５］〜［００２７］及び図２）の抄訳を参照すると、甲３−１には、次の発明が記載されていると認められる。
「ジルコニア及びＹ２Ｏ３を含有した白色ジルコニア粉体及び黄色ジルコニア粉体を用いて、これらの割合を変えて混合した複数の着色ジルコニア混合粉体を作製し、前記複数の着色ジルコニア混合粉体を積層して複色ジルコニアセラミックス生地を成形し、前記複色ジルコニアセラミックス生地を９５０℃で仮焼結した複色ジルコニアセラミックス多孔質半製品。」
及び
「上記複色ジルコニアセラミックス多孔質半製品を１４５０℃で焼結した焼結体。」
　本件発明１と上記甲３−１に記載された複色ジルコニアセラミックス多孔質半製品の発明とを対比すると、本件発明１は、上下層の境界において各粉末が部分的に混合した混合層が形成される点、並びに仮焼体の焼成試験による変形量及びＪＩＳＲ１６０１に準拠して測定した曲げ強度が特定されている点で、上記甲３−１に記載された複色ジルコニアセラミックス多孔質半製品の発明と相違している。
　そして、甲３−１からは、当該相違点に係る事項は導出できないから、実質的な相違点である。
　また、本件発明４と上記甲３−１に記載された焼結体の発明とを対比すると、本件発明４は、上記本件発明１に係る仮焼体が焼結されたものであって、ＪＩＳＲ１６０１に準拠して測定した曲げ強度が特定されている点で、上記甲３−１に記載された焼結体の発明と相違している。
　そして、本件発明４は、積層体の境界に混合層を有する焼結体であると認められ、甲３−１からは、このような構造及び上記曲げ強度は導出できないから、これらは実質的な相違点である。
　申立書３では、甲３−１において、粉末の積層時に振動を与えることは一般的であり、また、甲３−２に記載されるように粉末の積層時に金型等に振動を与えることはごく一般的なことであるから、本件発明１、４は、甲３−１に記載された発明であるか、あるいは甲３−１に記載された発明に基づいて容易に発明ができたものであると主張している（申立書３　２６〜２８ページ）。
　しかし、本件発明１に係る仮焼体の上下層の境界の混合層は、仮焼体を焼成したときに焼結体の変形が抑制され、また、所定の仮焼体及び焼結体の曲げ強度が得られるように、各層の境界に混合層を形成していると認められるところ（本件明細書 段落【０１０８】〜【０１１１】、【０１２１】〜【０１３３】）、甲３−１は、上記のとおり、このような混合層を形成することの具体的な記載はない。
　また、甲３−２は、色調の異なる化粧料粉末を順次層状に充填する際に、境界部分を互いに混ぜ合わせて、色調の境界をなくすことは記載されているが、プレスして固形化するものであって、本件発明１及び本件発明４の上記相違点に係る特定事項を導出することはできない。
　さらに、甲３−３は、顔料の添加率が異なるＺｒＯ２を含む粉末を順次積層した成形体を焼結して得られた焼結体が、甲３−４には、所定の強度及び破壊靭性を有する単層のジルコニア焼結体がそれぞれ記載されているにすぎず、本件発明１及び本件発明４の上記相違点に係る特定事項を導出することはできない。
　したがって、本件発明１、４は、甲３−１に記載された発明とはいえず、甲３−１〜甲３−４に記載された発明に基いて当業者が容易に発明をすることができたものであるともいえない。 
　また、本件発明２、５〜１６、１８〜２２は、本件発明１又は本件発明４を引用するものであるから、同様に、本件発明２、２０、２２は、甲３−１に記載された発明とはいえず、本件発明２、５〜１６、１８〜２２は、甲３−１〜甲３−４に記載された発明に基いて当業者が容易に発明をすることができたものであるともいえない。
第６　申立人の意見について
（１）申立人の主張
　申立人１は、令和　１年　７月１０日付けで、申立人２、３は、令和　１年　７月１２日付けで、それぞれ意見書を提出して、以下の通り主張している。
ア　申立人１の主張
（ア）特許法第３６条第６項第１号
　下記の点で不備のため、本件発明は、発明の詳細な説明の記載により、当業者が発明の課題を解決できる範囲のものであるということができない。
（ア−１）本件発明１において、「ジルコニアと安定化剤とを含む単一の粉末を基に組成の異なる粉末を形成すること」及び「組成の異なる粉末において顔料の添加率のみが異なること」が特定されていない。
（ア−２）本件発明１において、積層帯の上下層の境界に混合層を形成する際に、振動を与えることが特定されていない。
（イ）特許法第３６条第６項第２号
（イ−１）本件発明１の仮焼体の焼成温度及び曲げ強度の特定では、ジルコニア仮焼体がどのような状態であるのか明確でない。
（イ−２）本件発明１において、混合層は、「上下層の境界において各粉末が部分的に混合した」ものであることが特定されているため、各粉末が部分的に混合していない部分を有するところ、当該部分が積層方向の端にある場合に、混合層と上下層のいずれを構成するのか不明確である。
（ウ）特許法第２９条第２項
　本件発明は、甲１−１発明、及び甲１−６〜甲１−９に記載の事項から当業者にとって容易に発明することができたものである。
イ　申立人２の主張
　下記（ア）〜（ウ）の点で、本件発明は、サポート要件を満たさず、また、不明確である。
（ア）「顔料の添加率」について
　顔料の種類によって添加率の特定が必要であり、セラミックスでは粒径等が焼結挙動に影響するから、本件発明１の顔料の組成を調整するという特定では不十分である。
（イ）「部分的に混合した混合層」について
　「部分的に混合した混合層」の記載では、どの程度混合したものであるのか不明であり、また、どのような混合層とすべきなのかも不明である。
（ウ）仮焼体強度の限定について
　原料粉末の焼結挙動が不明であり、どのような強度の仮焼体が製造できるのか不明である。
ウ　申立人３の主張
　下記（ア）、（イ）の点で、本件発明は、取り消されるべきものである。
（ア）サポート要件及び実施可能要件
　本件発明１の「各粉末が部分的に混合した混合層」が、振動以外の方法で形成されるかどうか不明であり、また、振動による方法についても、具体的な振動条件が不明である。また、本件発明４に係る焼結体の強度は、比較例も含まれる。
　よって、本件発明１、４は、発明の詳細な説明に当業者が実施できる程度に明確かつ十分に記載されておらず、また、発明の課題を解決できると認識できる範囲のものであるともいえない。
（イ）明確性
　本件発明１において、曲げ強度が特定されたが、構造や特性が明らかになったとはいえず外縁が不明確であり、また、「部分的に混合した混合層」は、どの程度混合されているのか理解できず、さらに、本件発明１は、プロダクト・バイ・プロセスクレームに該当する。
（２）当審の判断
　下記ア〜ウに記載のとおりであるから、申立人１〜３の意見書における主張は採用できない。
ア　申立人１の主張について
●（ア−１）について
　本件明細書には、ジルコニアと安定化剤とを含む単一の粉末を基にして顔料の添加率が異なるジルコニア粉末を作製したことが記載されているが（段落【０１０１】〜【０１０７】）、焼結体の色を徐々に変化させる（グラデーション化させる）方法に用いる粉末の一例として示されたものであるところ（段落【０１０６】）、「単純に積層して作製した組成物及び仮焼体と比べて、変形量を小さくすることができる。これにより、最終製品の寸法精度を高めることができる。」（段落【００６２】）との記載、及び「隣接する層間において、上下層の粉末が混合した境界層を形成することができると考えられる。これにより、焼結体において、隣接する層間の密着性を高めることができる。加熱処理時の収縮量又は収縮速度を各層で同等にすることができ、加熱処理時に層間に剥離を生じさせたり、焼結体が目標とする形状に対していびつに変形したりすることを防止することができる。」（段落【０１１１】）との記載により、本件発明は、混合層を有することで変形が抑制され、所定の強度が得られることが認識できるから、本件発明において、単一の粉末を基に調製した顔料の添加率のみが異なる粉末を用いることまで限定する必要があるとはいえない。　
●（ア−２）及び（イ−１）について
　上記「第４ ３（２）イ（イ）」に記載のとおり、本件発明１は、所期の特性を満足するジルコニア仮焼体に係る物の発明であることは明らかであり、明確である。
　また、「上下層の境界において各粉末が部分的に混合した混合層を形成した積層体」という特定事項によりその構造を把握できるから、振動を与えるという工程を特定する必要があるとはいえない。
●（イ−２）について 
　「混合層」は、上下層の層間に境界層を形成し、隣接する層間の密着性を高め、また、層間の色の差異を緩和し、これにより、焼結体において、積層方向に色を自然に変化させることがができる（本件明細書　段落【０１１１】）という作用機序からすると、「混合層」と各層の境界が明らかである必要はないから、各粉末が混合していない部分の境界が不明であるとして、本件発明が明確でないとはいえない。
●（ウ）について
　上記「第５　２（１）イ」の判断のとおりであり、甲１−１、甲１−６〜甲１−９の記載を検討しても、本件発明は、当業者が容易に発明ををすることができたものであるとはいえない。
イ　申立人２の主張について
●（ア）、（イ）について
　上記「ア（ア−１）について」に記載したとおり、本件発明１は、「混合層」を有することにより、発明の課題を解決できると当業者が認識できるものであるから、「ジルコニア粉末」や「混合層」について、さらに限定する必要があるとはいえない。
●（ウ）について
　上記「第４ ３（２）イ（イ）」に記載のとおり、本件発明は、明確であり、また、実施例において、本件発明１で特定した仮焼体の曲げ強度が得られ変形量が抑制されたことが示されているから、本件発明は、発明の詳細な説明に記載されたものでないとはいえない。
ウ　申立人３の主張について
●（ア）について
　上記「ア（ア−１）について」に記載したとおりであり、また、本件発明４に係る焼結体は、焼成しても変形量が抑制される本件発明１に係る仮焼体を焼結したものであって、比較例の焼結体と比べて、変形量が小さくなることが理解できるから、比較例とは差異があることが当業者であれば認識できる。
　そうすると、本件発明は、発明の課題を解決できると当業者が認識できる範囲のものである。
　また、本件明細書の発明の詳細な説明には、積層体におけるジルコニア粉末の平均粒径を２０〜４０μｍとすること（段落【００４８】）、混合層を形成するための「振動」は、層間の境界において上下層の粉末の混合が起こるように適宜設定することが記載され（段落【０１０８】、【０１０９】）、さらに具体的なジルコニア粉末の調整工程（段落【０１１８】、【０１１９】）及び粉末の積層工程（段落【０１２１】）が記載され、それにより本件発明で特定する仮焼体及び焼結体が得られたこと（段落【０１３０】〜【０１４０】）が記載されている。
　そうすると、振動の程度が明らかにされていないとしても、本件発明１、４に係る仮焼体及び焼結体を製造するために、過度の試行錯誤が必要であるとまではいえず、本件明細書は、当業者が実施できる程度に明確に記載されたものでないとはいえない。
●（イ）について
　上記「第４ ３（２）イ（イ）」に記載のとおりであって、本件発明は、明確であり、また、プロダクト・バイ・プロセス・クレームであるとはいえない。
第７ むすび  
　以上のとおり、本件の請求項２３に係る特許は、特許法第３６条第６項第２号に規定する要件を満たしていない特許出願に対してされたものであるから、同法第１１３条第４号に該当し、取り消されるべきものである。  
　また、通知した取消理由並びに特許異議申立ての理由及び証拠によっては、本件の請求項１、２、４〜１６、１８〜２２に係る特許を取り消すことはできない。 
　他に、本件の請求項１、２、４〜１６、１８〜２２に係る特許を取り消すべき理由を発見しない。 
　そして、本件の請求項３、１７に係る特許は、訂正により削除されたため、同請求項に係る特許に対する特許異議の申立てについては、対象となる特許は存在しないから、特許法第１２０条の８第１項で準用する同法第１３５条の規定により却下する。 
　よって、結論のとおり決定する。
【異議決定日】
令和２年３月２３日（２０２０．３．２３）
【訂正の要旨】
審決（決定）の【理由】欄参照。
（５７）【特許請求の範囲】
　【請求項１】
　ジルコニア及びジルコニアの相転移を抑制する安定化剤としてイットリアを含有し、
顔料の添加率を調整することで
　前記複数のジルコニア粉末を積層させ
、上下層の境界において各粉末が部分的に混合した混合層を形成した積層体
　前記
積層体
　前記
ジルコニア
　前記試験片を１５００℃で２時間焼成し、
　２つの前記底面のうち、凹面に変形した底面を下にして載置したとき、
（凹面に変形した前記底面と接地面との最大間隔）／（前記幅方向における接地部分間の距離）×１００が０．１５以下であ
り、
　
ＪＩＳＲ１６０１に準拠して測定した曲げ強度が３８ＭＰａ以上かつ４１ＭＰａ以下である
　【請求項２】
　（凹面に変形した前記底面と接地面との最大間隔）／（前記幅方向における接地部分間の距離）×１００が０．１以下であることを特徴とする請求項１に記載のジルコニア仮焼体。
　【請求項３】
（削除）
　【請求項４】
　請求項１
又は２
り、
　
ＪＩＳＲ１６０１に準拠して測定した曲げ強度が１０００ＭＰａ以上かつ１２１９ＭＰａ以下である
　【請求項５】
　一端から他端に向かう第１方向に延在する直線上において、
　前記一端から全長の２５％までの区間にある第１点のＬ＊ａ＊ｂ＊表色系による色度（Ｌ＊，ａ＊，ｂ＊）を（Ｌ１，ａ１，ｂ１）とし、
　前記他端から全長の２５％までの区間にある第２点のＬ＊ａ＊ｂ＊表色系による色度（Ｌ＊，ａ＊，ｂ＊）を（Ｌ２，ａ２，ｂ２）としたとき、
　Ｌ１が５８．０以上７６．０以下であり、
　ａ１が−１．６以上７．６以下であり、
　ｂ１が５．５以上２６．７以下であり、
　Ｌ２が７１．８以上８４．２以下であり、
　ａ２が−２．１以上１．８以下であり、
　ｂ２が１．９以上１６．０以下であり、
　Ｌ１＜Ｌ２であり、
　ａ１＞ａ２であり、
　ｂ１＞ｂ２であり、
　前記第１点から前記第２点に向かってＬ＊ａ＊ｂ＊表色系による色度の増減傾向が変化しないことを特徴とする請求項４に記載のジルコニア焼結体。
　【請求項６】
　前記第１点と前記第２点とを結ぶ直線上において、
　前記第１点から前記第２点に向かってＬ＊値が１以上減少する区間が存在せず、
　前記第１点から前記第２点に向かってａ＊値が１以上増加する区間が存在せず、
　前記第１点から前記第２点に向かってｂ＊値が１以上増加する区間が存在しない
ことを特徴とする請求項５に記載のジルコニア焼結体。
　【請求項７】
　前記第１点から前記第２点を結ぶ直線上において、前記第１点と前記第２点の間にある第３点のＬ＊ａ＊ｂ＊表色系による色度（Ｌ＊，ａ＊，ｂ＊）を（Ｌ３，ａ３，ｂ３）としたとき、
　Ｌ３が６２．５以上８０．５以下であり、
　ａ３が−１．８以上５．５以下であり、
　ｂ３が４．８以上２１．８以下であり、
　Ｌ１＜Ｌ３＜Ｌ２であり、
　ａ１＞ａ３＞ａ２であり、
　ｂ１＞ｂ３＞ｂ２である、
ことを特徴とする請求項５又は６に記載のジルコニア焼結体。
　【請求項８】
　前記第１点から前記第２点を結ぶ直線上において、前記第３点と前記第２点の間にある第４点のＬ＊ａ＊ｂ＊表色系による色度（Ｌ＊，ａ＊，ｂ＊）を（Ｌ４，ａ４，ｂ４）としたとき、
　Ｌ４が６９．１以上８２．３以下であり、
　ａ４が−２．１以上１．８以下であり、
　ｂ４が３．５以上１６．２以下であり、
　Ｌ１＜Ｌ３＜Ｌ４＜Ｌ２であり、
　ａ１＞ａ３＞ａ４＞ａ２であり、
　ｂ１＞ｂ３＞ｂ４＞ｂ２である、
ことを特徴とする請求項７に記載のジルコニア焼結体。
　【請求項９】
　前記第３点は前記一端から全長の４５％の距離にあり、
　前記第４点は前記一端から全長の５５％の距離にある、
ことを特徴とする請求項８に記載のジルコニア焼結体。
　【請求項１０】
　前記第１点、前記第３点、前記第４点及び前記第２点において、
　隣接する２点におけるＬ＊値の差をΔＬ＊とし、
　隣接する２点におけるａ＊値の差をΔａ＊とし、
　隣接する２点におけるｂ＊値の差をΔｂ＊とし、
　以下の式１よりΔＥ＊ａｂを算出した場合、
　前記第１点と前記第３点間のΔＥ＊ａｂは３．７以上１４．３以下であり、
　前記第３点と前記第４点間のΔＥ＊ａｂは１．８以上１０．５以下であり、
　前記第４点と前記第２点間のΔＥ＊ａｂは１．０以上９．０以下である、
ことを特徴とする請求項８又は９に記載のジルコニア焼結体。
［式１］
　【請求項１１】
　前記第１点から前記第２点を結ぶ直線上において、前記第１点と前記第２点の間にある第３点のＬ＊ａ＊ｂ＊表色系による色度（Ｌ＊，ａ＊，ｂ＊）を（Ｌ３，ａ３，ｂ３）としたとき、
　Ｌ３が６９．１以上８２．３以下であり、
　ａ３が−２．１以上１．８以下であり、
　ｂ３が３．５以上１６．２以下であり、
　Ｌ１＜Ｌ３＜Ｌ２であり、
　ａ１＞ａ３＞ａ２であり、
　ｂ１＞ｂ３＞ｂ２である、
ことを特徴とする請求項５又は６に記載のジルコニア焼結体。
　【請求項１２】
　一端から他端に向かう第１方向に向かって色が変化しており、
　前記一端から前記他端に向かう直線上においてＬ＊ａ＊ｂ＊表色系による色度の増減傾向が変化しないことを特徴とする請求項５に記載のジルコニア焼結体。
　【請求項１３】
　前記一端と前記他端とを結ぶ直線上において、前記第１点から前記第２点に向かってＬ＊値は増加傾向にあり、ａ＊値及びｂ＊値は減少傾向にあることを特徴とする請求項１２に記載のジルコニア焼結体。
　【請求項１４】
　前記一端から前記他端までの距離は５ｍｍ〜１８ｍｍであることを特徴とする請求項５〜１３のいずれか一項に記載のジルコニア焼結体。
　【請求項１５】
　前記第１方向と直交する第２方向に沿って色が変化しないことを特徴とする請求項５〜１４のいずれか一項に記載のジルコニア焼結体。
　【請求項１６】
　前記第２方向に延在する直線上の２点において、
　前記２点間のＬ＊値の差をΔＬ＊とし、
　前記２点間のａ＊値の差をΔａ＊とし、
　前記２点間のｂ＊値の差をΔｂ＊とし、
　以下の式２よりΔＥ＊ａｂを算出した場合、
　ΔＥ＊ａｂが１未満であることを特徴とする請求項１５に記載のジルコニア焼結体。
［式２］
　【請求項１７】
（削除）
　【請求項１８】
　ＪＩＳＲ１６０７に準拠して測定した破壊靭性が３．５ＭＰａ・ｍ１／２以上であることを特徴とする請求項５〜
１６
　【請求項１９】
　１８０℃、１ＭＰａで５時間水熱処理試験を施した後のジルコニア焼結体のＸ線回折パターンにおいて、２θが３０°付近の正方晶由来の［１１１］ピークが生ずる位置付近に存在するピークの高さに対する、２θが２８°付近の単斜晶由来の［１１−１］ピークが生ずる位置付近に存在するピークの高さの比が１以下であることを特徴とする請求項５〜
１６、
　【請求項２０】
　８００℃〜１２００℃で焼成することにより請求項１
又は２
ジルコニア
積層体
　【請求項２１】
　１４００℃〜１６００℃で焼結することにより請求項５〜
１６、１８、
積層体
　【請求項２２】
　請求項１
又は２
ジルコニア
　【請求項２３】
　請求項１
又は２
ジルコニア